(57)【要約】      （修正有）【課題】使用中にずれ落ちないひざ掛けを提供する。【解決手段】袋体１は略方形であって縦方向の略下半分のポケット部１１と、略上半分の後布１２から形成されていて、このポケット部１１の出入口１３を形成する辺にはゴム紐が内蔵されてギャザー部１４となされており、さらに出入口１３の両側端にはそれぞれ取手１５、１５が設けられ、ポケット部１１の最下端両側にも取手１６、１６が設けられており、上記ひざ掛け２は略方形であり一方の周縁近くの二ヶ所に係止具２１、２１が設けられており、その辺に対向する周縁近くの左右に一対となる係止具２２が設けられており、さらに上記二本の連結ベルト３、３は細長の帯状体であって、途中にはそれぞれアジャスター３２、３２がはめ込まれており、そして片端には係止具３１、３１が設けられている事を特徴とする。【選択図】図１
0003151574.tif 000002
【実用新案登録請求の範囲】
【請求項１】
柔軟な素材で作られた袋体（１）とひざ掛け（２）と二本の連結ベルト（３、３）からなるずれないひざ掛けであって、上記袋体（１）は略方形であって縦方向の略下半分のポケット部（１１）と、略上半分の後布（１２）から形成されていて、このポケット部（１１）の出入口（１３）を形成する辺にはゴム紐が内蔵されてギャザー部（１４）となされており、さらに出入口（１３）の両側端にはそれぞれ取手（１５、１５）が設けられ、ポケット部（１１）の最下端両側にも取手（１６、１６）が設けられており、上記ひざ掛け（２）は略方形であり一方の周縁近くの二ヶ所に係止具（２１、２１）が設けられており、その辺に対向する周縁近くの左右に一対となる係止具（２２）が設けられており、さらに上記二本の連結ベルト（３、３）は細長の帯状体であって、途中にはそれぞれアジャスター（３２、３２）がはめ込まれており、そして片端には係止具（３１、３１）が設けられている事を特徴とするずれないひざ掛け。
【請求項２】
上記袋体（１）の取手（１５、１５）の各々に上記二本の連結ベルト（３、３）をそれぞれのアジャスター（３２、３２）を利用して取り付け、この二本の連結ベルト（３、３）を係止具（３１、３１）で係止してつなぎ提げ手となし上記後布（１２）をポケット部（１１）のふたとなした事を特徴とする手提げ袋。
【考案の詳細な説明】
【技術分野】
【０００１】  本考案は、袋体を二本のベルトでひざ掛けに組み合わせたずれないひざ掛け、又は使いやすい手提げ袋に関するものである。
【背景技術】
【０００２】  従来のひざ掛けは、保温性に欠けており椅子や車椅子に座っているだけで、ひざ掛けがずり落ち、ずり落ちるたびにひざ掛けを引き上げていた。又、ひざ掛けの持ち運びに別の手提げ袋を用意する必要があった。
【考案の開示】
【考案が解決しようとする課題】
【０００３】  しかし、これでは、ひざ掛けをして、仕事・勉強などを行うと、ずり落ちが気になり、不快感を生じ、集中力の減退につながり、能率が低下する。また、車椅子で使用中にも、ずり落ちたひざ掛けが車椅子の前輪に挟まる事故につながる恐れを生じ危険である。ひざ掛けの持ち運びに別の袋を用意する手間がかかる。
【課題を解決するための手段】
【０００４】  請求項１記載のずれないひざ掛け（以下、本考案１という）は、柔軟な素材で作られた袋体（１）とひざ掛け（２）と二本の連結ベルト（３、３）からなるずれないひざ掛けであって、上記袋体（１）は略方形であって縦方向の略下半分のポケット部（１１）と、略上半分の後布（１２）から形成されていて、このポケット部（１１）の出入口（１３）を形成する辺にはゴム紐が内蔵されてギャザー部（１４）となされており、さらに出入口（１３）の両側端にはそれぞれ取手（１５、１５）が設けられ、ポケット部（１１）の最下端両側にも取手（１６、１６）が設けられており、上記ひざ掛け（２）は略方形であり一方の周縁近くの二ヶ所に係止具（２１、２１）が設けられており、その辺に対向する周縁近くの左右に一対となる係止具（２２）が設けられており、さらに上記二本の連結ベルト（３、３）は細長の帯状体であって、途中にはそれぞれアジャスター（３２、３２）がはめ込まれており、そして片端には係止具（３１、３１）が設けられている事を特徴とする。【０００５】  請求項２記載の手提げ袋（以下、本考案２という）は、上記袋体（１）の取手（１５、１５）の各々に上記二本の連結ベルト（３、３）をそれぞれのアジャスター（３２、３２）を利用して取り付け、この二本の連結ベルト（３、３）を係止具（３１、３１）で係止してつなぎ提げ手となし上記後布（１２）をポケット部（１１）のふたとなした事を特徴とする。【０００６】  本考案１の袋体（１）とひざ掛け（２）と二本の連結ベルト（３、３）に用いる素材としては、柔軟なものが好ましく、例えば、布、革、合成皮革、ビニールなどが挙げられ布の場合には、防水加工がしてあるものが望ましい。本考案１のひざ掛け（２）の形としては、市販のひざ掛けを用いても良く、また、着脱の際、ひざ掛けの下辺が床に触れるのを防ぐため、下辺は円弧状に湾曲したものが好ましい。そして、保湿性向上のため二枚仕立てにしても良い。この場合裏面に保温性が高く軽量なフリース素材を用いるのが望ましい。【０００７】  本考案１のひざ掛け（２）と二本の連結ベルト（３、３）に用いるそれぞれの係止具（２１、２１）（３１、３１）はなるべくワンタッチで係止できるものが好ましく、例えば、マグネット、ホック、面ファスナー等が挙げられる。【０００８】  本考案１の袋体（１）のサイズとしては縦２０ｃｍ〜６０ｃｍ、横３０ｃｍ〜７０ｃｍが好ましく、本考案１のひざ掛け（２）のサイズとしては縦４０ｃｍ〜９０ｃｍ、横３０ｃｍ〜８０ｃｍの方形のものが良いが、下辺は円弧状に湾曲したものが良く、そして、表地・裏地の二枚仕立てにしたものが好ましい。本考案１の二本の連結ベルト（３、３）のサイズとしては幅２ｃｍ〜６ｃｍ、長さ１０ｃｍ〜７０ｃｍの細長の帯状体が好ましい。
【考案の効果】
【０００９】  本考案１は、袋体（１）とひざ掛け（２）と二本の連結ベルト（３、３）を組み合わせることにより、ずれないひざ掛けになり、椅子や車椅子に座っているだけでひざ掛けがずり落ち、ずり落ちるたびに、ひざ掛けを引き上げるという作業が解消される。また、車椅子で自力走行中にずり落ちたひざ掛けが車椅子の前輪に挟まる事故の恐れを防げる。ひざ掛け（２）の係止具（２１、２１）が設けられており、その辺に対向する周縁近くの左右に一対となる係止具（２２）を留めることで、足元が温かく足回りがすっきりする。そして、車椅子使用時も足元の回りに巻きつくため、足元が温かく、車椅子の前輪への巻き込みがさらに防げる。本考案１、本考案２で用いる係止具としては、片手でもワンタッチで係止できるため、身体障害者で片麻痺の方でも簡単に片手で開閉できることを特徴とする。【００１０】  本考案２は、本考案１の袋体（１）の取手（１５、１５）の各々に本考案１の二本の連結ベルト（３、３）のアジャスター（３２、３２）を利用して取り付け、この二本の連結ベルト（３、３）を係止具（３１、３１）で係止してつなぎ提げ手となし上記後布（１２）をポケット部（１１）のふたとなした事を特徴とする手提げ袋は、使用しない本考案１のひざ掛け（２）の収納袋として持ち運びができ、別の袋を用意する必要がない。本考案２は、手提げ袋として単独で使用できるといった便利さがある事を特徴とする。
【実施例１】
【００１１】  以下、本考案１の実施例を図面を用いて説明する。袋体（１）とひざ掛け（２）と二本の連結ベルト（３、３）に用いる柔軟な素材としては、布を使用した。袋体（１）のサイズとしては、縦が４２ｃｍで横が５５ｃｍの方形のものを用い縦方向の下方２４ｃｍがポケット部（１１）からなり、上部１８ｃｍは後布（１２）とした。このポケット部（１１）の出入口（１３）を形成する辺にはゴム紐が内蔵されていてギャザー部（１４）とした。その両側端には幅４ｃｍで長さが２０ｃｍの帯状の布を輪状にして取手（１５、１５）とした。また、最下端両側には幅１ｃｍで長さ７ｃｍの帯状の布を輪状にして取手（１６、１６）とした。ひざ掛け（２）の形状としては上辺より下方に４ｃｍ、中央より左右に１０ｃｍの位置に係止具（２１、２１）を設け、この係止具（２１、２１）にはマグネット式ボタンを用いた。ひざ掛け（２）の上辺に対向する下辺を円弧状に湾曲し、その湾曲状辺の左右に一対の係止具（２２）を設け、スナップを用いた。表面には布、裏面には軽量で保温性に優れたフリース素材を使用し、二枚仕立てとした。大きさとしては、上辺の長さが７３ｃｍとし、中央部の縦の長さを７８ｃｍとした。本実施例で用いた膝掛けは第２図に示す。二本の連結ベルト（３、３）は、細長の帯状体で幅３．５ｃｍで長さ４０ｃｍとし、途中にはめ込まれているアジャスター（３２、３２）はプラスチック製を用い、片端の係止具（３１、３１）はマグネット式ボタンを用いた。上記、袋体（１）と、二本の連結ベルト（３）は、第１図に示す。【００１２】  次に、本考案１のずれないひざ掛けの使い方について図面を用いて説明する。袋体（１）のポケット部（１１）を出入口（１３）から背もたれ付き椅子の背もたれ部に後布（１２）が手前にくるように上から被せる。ギャザー部（１４）は背もたれの後ろ側にくる。取手（１５、１５）に二本の連結ベルト（３、３）のアジャスター（３２、３２）を利用して取り付け、ひざ掛け（２）の係止具（２１、２１）に二本の連結ベルト（３、３）の係止具（３１、３１）を１本ずつ取り付ける。係止具（２１、２１）（３１、３１）はマグネット式ボタンであることから、必ずプラス・マイナスを確認する必要がある。最後にひざ掛け（２）の一対となる係止具（２２）のスナップを留める。【００１３】  図３は椅子に座った時に使用する状況を示す説明図【００１４】  本考案１の膝掛けを車椅子での使い方を図面を用いて説明する。車椅子背もたれの後ろ側より袋体（１）の取手（１５、１５）を車椅子のハンドルにそれぞれ通し、取手（１６、１６）に二本の連結ベルト（３、３）のアジャスター（３２、３２）を利用して取り付ける。取り付けた二本の連結ベルト（３、３）を車椅子の正面に持ってきて、それをひざ掛け（２）の係止具（２１、２１）に二本の連結ベルト（３、３）の係止具（３１、３１）を１本ずつ取り付ける。係止具（２１、２１）（３１、３１）はマグネット式ボタンであるため、必ずプラス・マイナスを確認する必要がある。最後にひざ掛け（２）の一対となる係止具（２２）のスナップを留める。【００１５】  図４は車椅子に座った時に使用する状況を示す説明図
図の左前方から見た図
図の右後方から見た図
【実施例２】
【００１６】  本考案２の手提げ袋としての使い方を図面を用いて説明する。実施例１と同じものを用いる。上記袋体（１）の取手（１５、１５）の各々に上記二本の連結ベルト（３、３）をそれぞれのアジャスター（３２、３２）を利用して取り付け、この二本の連結ベルト（３、３）を係止具（３１、３１）で係止してつなぎ提げ手となし、上記後布（１２）をポケット部（１１）のふたにし、未使用のひざ掛け（２）の収納袋とする。【００１７】  図５は手提げ袋を実際に使用する状況を示す説明図
【図面の簡単な説明】
【００１８】
【図１】  本考案１を示す説明図
【図２】  本考案１の実施例１で用いたひざ掛けを示す説明図
【図３】  ひざ掛けを実際に使用している状態を示す説明図
【図４】  ひざ掛けを他の使用の状態を示す説明図
【図５】  本考案２を示す説明図
【符号の説明】
【００１９】１                袋体
１１              ポケット部
１２              後布
１３              出入口
１４              ギャザー部
１５、１６        取手
２                ひざ掛け
２１、２２、３１  係止具
３                連結ベルト
３２              アジャスター
【図１】
0003151574.tif 000003
【図２】
0003151574.tif 000004
【図３】
0003151574.tif 000005
【図４】
0003151574.tif 000006
【図５】
0003151574.tif 000007
【手続補正書】
【提出日】平成21年3月31日(2009.3.31)
【手続補正１】
【補正対象書類名】実用新案登録請求の範囲
【補正対象項目名】全文
【補正方法】変更
【補正の内容】
【実用新案登録請求の範囲】
【請求項１】
柔軟な素材で作られた袋体（１）とひざ掛け（２）と二本の連結ベルト（３、３）からなるずれないひざ掛けであって、上記袋体（１）は略方形であって縦方向の略下半分のポケット部（１１）と、略上半分の後布（１２）から形成されていて、このポケット部（１１）の出入口（１３）を形成する辺にはゴム紐が内蔵されてギャザー部（１４）となされており、さらに出入口（１３）の両側端にはそれぞれ取手（１５、１５）が設けられ、ポケット部（１１）の最下端両側にも取手（１６、１６）が設けられており、上記ひざ掛け（２）は略方形であり一方の周縁近くの二ヶ所に係止具（２１、２１）が設けられており、その辺に対向する周縁近くの左右に一対となる係止具（２２）が設けられており、さらに上記二本の連結ベルト（３、３）は細長の帯状体であって、途中にはそれぞれアジャスター（３２、３２）がはめ込まれており、そして片端には係止具（３１、３１）が設けられていて、袋体（１）、ひざ掛け（２）、二本の連結ベルト（３、３）の組み合わせによって背もたれ付椅子、車椅子に座ってひざ掛けがずれないようにし、背もたれ椅子に座って使用する場合には上記袋体（１）のポケット部（１１）を椅子の背もたれに被せて、上記袋体（１）の左右の取手（１５、１５）にそれぞれの二本の連結ベルト（３、３）をアジャスター（３２、３２）を用いて取り付け、これらの連結ベルト（３、３）の端部に設けた係止具（３１、３１）によって、ひざの上に乗せたひざ掛け（２）の係止具（２１、２１）と連結し、さらにひざ掛け（２）の係止具（２２、２２）で足をくるむように係止しようとなされていて、そして、車椅子に座って使用する場合には、上記袋体（１）の取手（１５、１５）を車椅子の左右のハンドルにそれぞれを通し、車椅子後方の背もたれに上記袋体（１）をつるし、上記袋体（１）の取手（１６、１６）にそれぞれの二本の連結ベルト（３、３）をアジャスター（３２、３２）を用いて取り付けこれらの連結ベルト（３、３）の端部に設けた係止具（３１、３１）によってひざの上に乗せたひざ掛け（２）の係止具（２１、２１）と連結し、さらに、ひざ掛け（２）の係止具（２２、２２）で足をくるむように係止し、ひざ掛けが下にずれないように用いることができるようになされていることを特徴とするずれないひざ掛け。
【請求項２】
上記袋体（１）と上記二本の連結ベルト（３、３）の組み合せによって上記ひざ掛け（２）を持ち運び可能にする手提げ袋となし、上記ひざ掛け（２）をこの手提げ袋の内に入れて、持ち運びを可能としたずれないひざ掛けであって、上記袋体（１）の取手（１５、１５）の左右に上記二本の連結ベルト（３、３）をそれぞれのアジャスター（３２、３２）を用いて取り付け、上記二本の連結ベルト（３、３）を係止具（３１、３１）で係止してつなぐことにより提げ手となし、上記袋体（１）の後布（１２）を上記袋体（１）のポケット部（１１）の蓋となし、ポケット部（１１）の中に上記ひざ掛け（２）の収納スペースとなすようになされていることを特徴とする持ち運び可能な請求項１の記載のずれないひざ掛け。
【手続補正３】
【補正対象書類名】明細書
【補正対象項目名】０００１
【補正方法】変更
【補正の内容】
【０００１】        本考案は、袋体を二本のベルトでひざ掛けに組み合わせたずれないひざ掛けで、袋体と二本のベルトをつなげることで持ち運びが可能となるずれないひざ掛けに関するものである。
【手続補正４】
【補正対象書類名】明細書
【補正対象項目名】０００４
【補正方法】変更
【補正の内容】
【０００４】        請求項１記載のずれないひざ掛け（以下、本考案１という）は、柔軟な素材で作られた袋体（１）とひざ掛け（２）と二本の連結ベルト（３、３）からなるずれないひざ掛けであって、上記袋体（１）は略方形であって縦方向の略下半分のポケット部（１１）と、略上半分の後布（１２）から形成されていて、このポケット部（１１）の出入口（１３）を形成する辺にはゴム紐が内蔵されてギャザー部（１４）となされており、さらに出入口（１３）の両側端にはそれぞれ取手（１５、１５）が設けられ、ポケット部（１１）の最下端両側にも取手（１６、１６）が設けられており、上記ひざ掛け（２）は略方形であり一方の周縁近くの二ヶ所に係止具（２１、２１）が設けられており、その辺に対向する周縁近くの左右に一対となる係止具（２２）が設けられており、さらに上記二本の連結ベルト（３、３）は細長の帯状体であって、途中にはそれぞれアジャスター（３２、３２）がはめ込まれており、そして片端には係止具（３１、３１）が設けられていて、袋体（１）、ひざ掛け（２）二本の連結ベルト（３、３）の組み合わせによって背もたれ椅子、車椅子に座ってひざ掛けがずれないよういし、背もたれ椅子に座って使用する場合には上記袋体（１）のポケット部（１１）を椅子の背もたれに被せて、上記袋体（１）の左右の取手（１５、１５）にそれぞれの二本の連結ベルト（３、３）をアジャスター（３２、３２）を用いて取り付け、これらの連結ベルト（３、３）の端部に設けた係止具（３１、３１）によってひざの上に乗せたひざ掛け（２）の係止具（２１、２１）と連結し、さらにひざ掛け（２）の係止具（２２、２２）で足をくるむように係止しようとなされていて、そして、車椅子に座って使用する場合には、上記袋体（１）の取手（１５、１５）を車椅子の左右のハンドルにそれぞれを通し、車椅子後方の背もたれに上記袋体（１）をつるし、上記袋体（１）の取手（１６、１６）にそれぞれの二本の連結ベルト（３、３）をアジャスター（３２、３２）を用いて取り付けこれらの連結ベルト（３、３）の端部に設けた係止具（３１、３１）によってひざの上に乗せたひざ掛け（２）の係止具（２１、２１）と連結し、さらに、ひざ掛け（２）の係止具（２２、２２）で足をくるむように係止し、ひざ掛けが下にずれないように用いることができるようになされていることを特徴とする。
【手続補正５】
【補正対象書類名】明細書
【補正対象項目名】０００５
【補正方法】変更
【補正の内容】
【０００５】        請求項２記載の持ち運び可能な請求項１記載のずれないひざ掛け（以下、本考案２という）は、上記袋体（１）と上記二本の連結ベルト（３、３）の組み合せによって上記ひざ掛け（２）を持ち運び可能にする手提げ袋となし、上記ひざ掛け（２）をこの手提げ袋の内に入れて、持ち運び可能な請求項１記載のずれないひざ掛けであって、上記袋体（１）の取手（１５、１５）の左右に上記二本の連結ベルト（３、３）をそれぞれのアジャスター（３２、３２）を用いて取り付け、上記二本の連結ベルト（３、３）を係止具（３１、３１）で係止してつなぐことにより提げ手となし、上記袋体（１）の後布（１２）を上記袋体（１）のポケット部（１１）の蓋となし、ポケット部（１１）の中に上記ひざ掛け（２）の収納スペースとなすようになされていることを特徴とする。
【手続補正６】
【補正対象書類名】明細書
【補正対象項目名】００１０
【補正方法】変更
【補正の内容】
【００１０】        本考案２は、上記袋体（１）と上記二本の連結ベルト（３、３）の組み合せによって上記ひざ掛け（２）を持ち運び可能にする手提げ袋となし、上記ひざ掛け（２）をこの手提げ袋の内に入れて、持ち運び可能な請求項１記載のずれないひざ掛けであって、上記袋体（１）の取手（１５、１５）の左右に上記二本の連結ベルト（３、３）をそれぞれのアジャスター（３２、３２）を用いて取り付け、上記二本の連結ベルト（３、３）を係止具（３１、３１）で係止してつなぐことにより提げ手となし、上記袋体（１）の後布（１２）を上記袋体（１）のポケット部（１１）のふたとなし、ポケット部（１１）の中に上記ひざ掛け（２）の収納スペースとなすようになされていることを特徴とする持ち運び可能な請求項１記載のずれないひざ掛けは、別の袋を用意する必要がないことを特徴とする。
【手続補正７】
【補正対象書類名】明細書
【補正対象項目名】００１６
【補正方法】変更
【補正の内容】
【００１６】        本考案２の持ち運び可能な請求項１記載のずれないひざ掛けであって、図面を用いて説明する。実施例１と同じものを用いる。上記袋体（１）の取手（１５、１５）の左右に上記二本の連結ベルト（３、３）をそれぞれのアジャスター（３２、３２）を用いて取り付け、上記二本の連結ベルト（３、３）を係止具（３１、３１）で係止してつなぐことにより提げ手となし、上記袋体（１）の後布（１２）を上記袋体（１）のポケット部（１１）の蓋となし、ポケット部（１１）の中に上記ひざ掛け（２）の収納スペースとして、持ち運び可能な請求項１記載のずれないひざ掛けとする。
【手続補正８】
【補正対象書類名】明細書
【補正対象項目名】００１７
【補正方法】変更
【補正の内容】
【００１７】        図５は持ち運び可能な請求項１記載のずれないひざ掛けを実際に使用する状況を示す説明図